【事件の表示】
　特願２００９−２２３５３１「電子機器」拒絶査定不服審判事件〔平成２３年４月７日出願公開，特開２０１１−７１９３７〕について，次のとおり審決する。
【結　論】
　本件審判の請求は，成り立たない。
【理　由】
第１　手続の経緯
　本願は，平成２１年９月２８日の出願であって，平成２５年１２月２日付けで拒絶理由が通知され，平成２６年２月６日付けで意見書が提出されるとともに手続補正がなされたが，同年６月１２日付けで拒絶査定がなされ，これに対し，同年９月１６日に拒絶査定に対する審判請求がなされるとともに同日付けで手続補正がなされたものである。
　
第２　補正却下の決定
［結論］
　　平成２６年９月１６日付けの手続補正を却下する。
　
［理由］
１　補正の概要
　平成２６年９月１６日付けの手続補正（以下，「本件補正」という。）は，特許請求の範囲については，本件補正前の平成２６年２月６日付けの手続補正書の特許請求の範囲に記載された請求項１乃至６を削除し，請求項７及び８の項番号を繰り上げて請求項１及び２としたものであり，さらに平成２６年２月６日付け手続補正書の特許請求の範囲の請求項７に記載された
　
　「マイクと，
　前記マイクへ入力された音声に基づいてアプリケーションを起動する際に，アプリケーションを音声入力用のユーザインタフェースで提供する実行部と，を備えることを特徴とする電子機器。」
　
という発明（以下，「本願発明」という。）を，本件補正による請求項１に記載された
　
　「マイクと，
　前記マイクへ入力された音声に基づいてアプリケーションを起動する際に，
前記起動したアプリケーションの操作用の
，前記起動したアプリケーションを中断しつつ
　
という発明（以下，「補正後の発明」という。）に，変更することを含むものである。
　
２　補正の目的について
　上記補正は，願書に最初に添付した明細書，特許請求の範囲又は図面に記載した事項の範囲内において，本願発明を特定するために必要な事項である「実行部」について，「アプリケーションを音声入力用のユーザインタフェースで提供する実行部」の記載を，「前記起動したアプリケーションの操作用のアプリケーションを，前記起動したアプリケーションを中断しつつ音声入力用のユーザインタフェースで提供する実行部」と限定的に限縮するものである。
　したがって，上記補正は，特許法第１７条の２第３項及び第４項の規定に適合することは明らかであり，また，同法第１７条の２第５項第２号に掲げる特許請求の範囲の減縮を目的とするものに該当する。
　
３　独立特許要件について
　上記補正は，特許請求の範囲の減縮を目的とするものであるから，補正後の発明が特許出願の際独立して特許を受けることができるものであるのか否かについて，以下検討する。
　
（１）補正後の発明
　上記「１　補正の概要」の項で「補正後の発明」として認定したとおりである。
　
（２）引用発明
　原査定の拒絶の理由に引用された本願出願前に公開された刊行物である特開２００３−２９１７５０号公報（以下，「引用例」という。）には，以下のア乃至キの事項が記載されている。
　
ア　「【００２６】図１は，本実施形態に係る車載機器制御装置１の構成を示すブロック図，図２は，ステアリング及びその周辺の様子を模式的に示す説明図である。以下，当該車載機器制御装置１の構成について説明する。
【００２７】図１に示すように，車載機器制御装置１は，操作者による入力操作が可能な手動操作部（手動操作手段）２及び音声入力操作部（音声入力操作手段）３と，音声入力操作部３にて入力された音声情報を認識する音声認識実行部４と，操作状態判断部５と，手動操作部２及び音声入力操作部３を使用可能とする音声入力開始終了判断部（設定手段）６と，音声待ち受け単語管理部７と，音声待ち受け単語格納部８と，音声ガイド出力部（報知手段）９と，後述する図８等に示す初期操作メニュー１０ｂ等の操作支援情報を表示する操作状態表示部（表示手段，報知手段）１０と，それぞれ異なる機器を制御する複数のシステムコントローラ１１…と，を備えている。
【００２８】また，当該車載機器制御装置１は，図２に示すように，車両１００に搭載されており，システムコントローラ１１…が制御する機器には図示しない経路誘導装置が含まれる。
【００２９】図１に示す手動操作部２は，操作者による手動入力操作が可能となっており，図２に示すように，車両１００のステアリングホイール１０１に配設されている。
【００３０】当該手動操作部２は，図２に示すように，選択確定スイッチ（手動操作起動手段）２１と，戻り釦２２と，発話釦（音声入力操作起動手段）２３と，を備えており，当該選択確定スイッチ２１は，ステアリングホイール１０１の正面側から見て，操作者により上下に倒され，また，水平状態となっている時に押下されることが可能となっている。
【００３１】当該手動操作部２は，操作者による選択確定スイッチ２１，戻り釦２２，及び発話釦２３の操作に応じて，所定の指示情報を図１に示す操作状態判断部５に出力する。」
　
イ　「【００３６】音声入力操作部３は，操作者による音声入力操作が可能となっており，図２に示す車両１００の運転手が車両１００を運転している際に，当該音声入力操作部３が運転手の口元に配置されるように，ステアリングコラム，ステアリングコラムの近傍，またはルームミラーの近傍に配設されている。なお，音声入力操作部３にて入力された音声情報は，Ａ／Ｄ変換されて音声認識実行部４に出力される。
　
ウ　「【００３７】図１に示す音声認識実行部４は，音声入力操作部３にて入力された音声情報を分析して当該音声情報の内容を認識し，当該音声情報の内容と，後述する音声待ち受け単語管理部７により用意された単語リストに含まれる単語と，のマッチング処理を行う。
【００３８】即ち，単語リストに含まれる各単語について，音声情報の内容とのマッチング度を測定し，当該マッチング度が所定値（当該値は，予め決定される）以上の単語がある場合には，当該単語（マッチング度が所定値以上の単語が複数ある場合には，これら複数の単語のうち最もマッチング度の高い単語）に関する情報，即ち単語選択情報を操作状態判断部５に出力する。
【００３９】なお，マッチング度が所定値以上の単語がない場合には，マッチング度が所定値以上の単語がない旨の単語選択情報を操作状態判断部５に出力する。」
　
エ　「【００５２】また，操作状態判断部５は，音声認識実行部４から単語選択情報を与えられた場合には，操作者による音声入力操作を継続して行うことを可能にすべく，メモリ５１に保存している音声入力開始指示情報（この音声入力開始指示情報は，予め手動操作部２から与えられたものである）２３ａを音声入力開始終了判断部６に出力する。
【００５３】また，当該単語選択情報に基づいて，マッチング度が所定値以上の単語があると判断した場合には，以下に示す単語確定処理を行う。
【００５４】即ち，操作状態判断部５は，マッチング度が所定値以上の単語をメモリ５１に保存すると共に，図１８等に示すように，当該単語に対応する機器別操作メニューがある場合には，当該機器別操作メニューを操作状態表示部１０に更に表示する。
【００５５】例えば，図１８に示す場合であれば，「目的地設定」という単語について単語選択情報が与えられたので，「目的地設定」という単語に対応する機器別操作メニュー１０ｃを操作状態表示部１０に更に表示する。
【００５６】また，マッチング度が所定値以上の単語がないと判断した場合には，図１に示す音声ガイド出力部９にて，操作者に再度の音声入力を促すガイド音声情報（「もう一度お話し下さい。」等のガイド音声情報）を出力する。
【００５７】また，音声認識実行部４から音声認識不能情報を与えられた場合には，音声入力を中止する旨の音声入力中止指示情報を音声入力開始終了判断部６に出力する。
【００５８】また，手動操作部２からやり直し指示情報を与えられた場合には，やり直し指示情報を与えられる前においてメモリ５１に最後に保存した保存情報を取り消して，当該保存情報をメモリ５１に保存する以前の状態に対応する画像を操作状態表示部１０に表示する。
【００５９】また，当該保存情報が音声入力開始指示情報２３ａまたは手動操作開始指示情報２１ａである場合には，当該やり直し指示情報を音声入力開始終了判断部６に出力する。
【００６０】操作状態判断部５は，以上述べた処理を繰り返すことで，図１に示すシステムコントローラ１１が必要とする情報を操作者から一通り与えてもらい，その後，当該情報をシステムコントローラ１１に出力する。」
　
オ　「【００９８】次に，操作者が音声入力操作部３のみを入力操作に使用して，経路誘導装置に東京ディズニーランドまでの経路探索を行わせる場合について，図１，図２，図７，及び図１６〜図２１を用いて説明する。なお，図１６は車載機器制御装置１の処理の流れ等を示したフローチャートであり，図１７〜図２１は操作状態表示部１０に表示される画像を示したものである。
【００９９】操作者が何ら操作を行っていない状態においては，操作状態表示部１０には，図７に示すように，初期画面が表示される。
【０１００】図１６に示すステップＳ１ｂにて操作者が図２に示す発話釦２３を押下すると，図１に示す手動操作部２が音声入力開始指示情報２３ａを操作状態判断部５に出力する。
【０１０１】ステップＳ２ｂにて，操作状態判断部５が，手動操作部２から与えられた音声入力開始指示情報２３ａをメモリ５１に保存すると共に，当該音声入力開始指示情報２３ａを音声入力開始終了判断部６に出力する。
【０１０２】また，図１７に示すように，初期操作メニュー１０ｂと，手動操作部２が使用可能となっていることを示すアイコン１０ａと，音声入力操作部３が使用可能となっていることを示すアイコン１０ｈと，を操作状態表示部１０に表示する一方で，音声ガイド出力部９にて，音声入力をサポートする音声情報（例えば，「必要なコマンドをお話し下さい。」という音声情報及び「手動入力操作及び音声入力操作が可能です。」という音声情報）を出力する。
【０１０３】次いで，図１に示す音声入力開始終了判断部６が，操作状態判断部５から与えられた音声入力開始指示情報２３ａに基づいて，手動操作部２及び音声入力操作部３をともに使用可能とすると共に，音声待ち受け単語管理部７に，待ち受け単語を用意することを要求する旨の要求情報を出力する。
【０１０４】次いで，音声待ち受け単語管理部７が，音声入力開始終了判断部６から与えられた要求情報に基づいて，音声待ち受け単語格納部８から必要な単語を取得して単語リストを作成する。
【０１０５】ここで，必要な単語は，操作状態表示部１０に表示された初期操作メニュー１０ｂに含まれる選択肢（図１７を参照）の内容に基づいて決定される。したがって，この場合，必要な単語には，「目的地設定」，「音楽を聞く」等が含まれる。
【０１０６】次いで，図１６に示すステップＳ３ｂにて，操作者は，自分の意図した操作を実現するのに必要な選択肢を選択し，当該選択肢に対応する音声情報を図１に示す音声入力操作部３にて入力する。
【０１０７】本実施の形態では，経路誘導装置に東京ディズニーランドまでの経路探索を行わせるので，操作者は，図１に示す音声入力操作部３にて「目的地設定」という音声情報を入力する。
【０１０８】音声入力操作部３にて入力された音声情報は，Ａ／Ｄ変換されて音声認識実行部４に出力され，音声認識実行部４が，当該音声情報を分析して内容を認識し，当該音声情報の内容と，音声待ち受け単語管理部７により作成された単語リストに含まれる単語と，のマッチング処理を行う。
【０１０９】次いで，マッチング度が所定値以上の単語がある場合には，単語選択情報を操作状態判断部５に出力する。なお，マッチング度が所定値以上の単語がない場合には，マッチング度が所定値以上の単語がない旨の単語選択情報を操作状態判断部５に出力する。
【０１１０】本実施の形態では，マッチング度が所定値以上の単語として，「目的地設定」という単語を選択し，マッチング度が所定値以上の単語として「目的地設定」という単語がある旨の単語選択情報を操作状態判断部５に出力する。
【０１１１】次いで，操作状態判断部５が，当該単語選択情報に基づいて，「目的地設定」という単語について単語確定処理を行い，図１８に示すように，「目的地設定」という単語に対応する機器別操作メニュー１０ｃを操作状態表示部１０に表示する。
【０１１２】次いで，図１６に示すステップＳ４ｂにて，図１に示す操作状態判断部５は，メモリ５１に保存されている音声入力開始指示情報２３ａを音声入力開始終了判断部６に出力する。
【０１１３】また，図１８に示すように，アイコン１０ａとアイコン１０ｈとを操作状態表示部１０に表示する一方で，音声ガイド出力部９にて，音声入力をサポートする音声を出力する。
【０１１４】次いで，図１に示す音声入力開始終了判断部６が，操作状態判断部５から与えられた音声入力開始指示情報２３ａに基づいて，手動操作部２及び音声入力操作部３をともに使用可能とすると共に，音声待ち受け単語管理部７に，待ち受け単語を用意することを要求する旨の要求情報を出力する。
【０１１５】次いで，音声待ち受け単語管理部７が，音声入力開始終了判断部６から与えられた要求情報に基づいて，音声待ち受け単語格納部８から必要な単語を取得して単語リストを作成する。
【０１１６】ここで，必要な単語は，操作状態表示部１０に表示された機器別操作メニュー１０ｃに含まれる選択肢（図１８参照）の内容に基づいて決定される。したがって，当該場合，必要な単語には，「自宅」，「施設から選ぶ」等が含まれる。
【０１１７】次いで，図１６に示すステップＳ５ｂにて，操作者は，ステップＳ３ｂと同様に，図１に示す音声入力操作部３にて「施設から選ぶ」という音声情報を入力する。
【０１１８】次いで，音声認識実行部４が，ステップＳ３ｂと同様に，音声入力操作部３にて入力された音声情報を分析して内容を認識し，マッチング処理を行う。
【０１１９】次いで，マッチング度が所定値以上の単語がある場合には，単語選択情報を操作状態判断部５に出力する。なお，マッチング度が所定値以上の単語がない場合には，マッチング度が所定値以上の単語がない旨の単語選択情報を操作状態判断部５に出力する。
【０１２０】本実施の形態では，マッチング度が所定値以上の単語として，「施設から選ぶ」を選択し，マッチング度が所定値以上の単語として「施設から選ぶ」という単語がある旨の単語選択情報を操作状態判断部５に出力する。
【０１２１】次いで，操作状態判断部５が，当該単語選択情報に基づいて，ステップＳ３ｂと同様に，図１９に示すように，「目的地設定」（当審注：「施設から選ぶ」の誤記と認める。）という単語について単語確定処理を行う。
【０１２２】次いで，ステップＳ６ｂにて，操作状態判断部５は，ステップＳ４ｂと同様に，メモリ５１に保存されている音声入力開始情報２３ａを音声入力開始終了判断部６に出力する。
【０１２３】また，図１９に示すように，アイコン１０ａとアイコン１０ｈとを図１に示す操作状態表示部１０に表示する一方で，音声ガイド出力部９にて，音声入力をサポートする音声（例えば，「施設名をお話し下さい。」等の音声）を出力する。
【０１２４】次いで，音声入力開始終了判断部６が，操作状態判断部５から与えられた音声入力開始指示情報２３ａに基づいて，手動操作部２及び音声入力操作部３をともに使用可能とすると共に，音声待ち受け単語管理部７に，待ち受け単語を用意することを要求する旨の要求情報を出力する。
【０１２５】次いで，音声待ち受け単語管理部７が，音声入力開始終了判断部６から与えられた要求情報に基づいて，音声待ち受け単語格納部８から必要な単語として具体的な施設名（例えば，「東京ディズニーランド」や「海ほたる」等）を取得して単語リストを作成する。
【０１２６】次いで，ステップＳ７ｂにて，操作者は，ステップＳ３ｂと同様に，図１に示す音声入力操作部３にて「東京ディズニーランド」という内容の音声情報を入力する。
【０１２７】次いで，音声認識実行部４が，ステップＳ３ｂと同様に，音声入力操作部３にて入力された音声情報を分析して内容を認識し，マッチング処理を行う。
【０１２８】次いで，マッチング度が所定値以上の単語がある場合には，単語選択情報を操作状態判断部５に出力する。なお，マッチング度が所定値以上の単語がない場合には，マッチング度が所定値以上の単語がない旨の単語選択情報を操作状態判断部５に出力する。
【０１２９】本実施の形態では，マッチング度が所定値以上の単語として，「東京ディズニーランド」という単語を選択し，マッチング度が所定値以上の単語として「東京ディズニーランド」という単語がある旨の単語選択情報を操作状態判断部５に出力する。
【０１３０】次いで，操作状態判断部５が，ステップＳ３ｂと同様に，当該単語選択情報に基づいて，単語確定処理を行い，図２０に示すように，「東京ディズニーランド」という単語が操作者により選択された旨の情報を操作状態表示部１０に表示する。」
　
カ　図１７には，「目的地設定」，「ポータル情報取得」，「電話をかける」及び「音楽を聞く」の項目が表示される初期操作メニュー１０ｂが記載されている。
　
キ　図１８には，「自宅」，「登録地から選ぶ」，「最近の目的地から選ぶ」及び「施設から選ぶ」の項目が表示される機器別操作メニュー１０ｃが記載されている。
　
　上記引用例の記載及び図面並びにこの分野における技術常識を考慮すると，引用例には，下記事項が記載されているといえる。
ａ　上記イ（段落００３６参照）より，引用例に記載のものは，操作者による音声入力操作が可能となる音声入力操作部３を備えており，該音声入力操作部３にて入力された音声情報は，Ａ／Ｄ変換されて音声認識実行部４に出力される。
　
ｂ　上記ウ（段落００３７〜００３９参照）より，引用例に記載のものは，音声認識実行部４を備え，該音声認識実行部４は，音声入力操作部３にて入力された音声情報を分析して当該音声情報の内容を認識し，当該音声情報の内容と単語リストに含まれる単語とのマッチング処理を行い，単語リストに含まれる各単語について，音声情報の内容とのマッチング度を測定し，当該マッチング度が所定値以上の単語がある場合には，当該単語に関する情報，即ち単語選択情報を操作状態判断部５に出力し，マッチング度が所定値以上の単語がない場合には，マッチング度が所定値以上の単語がない旨の単語選択情報を操作状態判断部５に出力する。
　
ｃ　上記エ（段落００５２〜００５６参照）より，引用例に記載のものは，操作状態判断部５を備え，該操作状態判断部５は，前記音声認識実行部４から出力された単語選択情報に基づいて，マッチング度が所定値以上の単語に対応する機器別操作メニューがある場合には，当該機器別操作メニューを操作状態表示部１０に表示し，マッチング度が所定値以上の単語がないと判断した場合には，音声ガイド出力部９にて，操作者に再度の音声入力を促すガイド音声情報を出力する。
　そして，前記ｂも勘案すると，「音声認識実行部４」は，該「音声認識実行部４」から出力する「単語選択情報」により，「操作状態判断部５」の動作を制御しているといえるから，操作状態判断部５の「操作用の手段」ということができる。
　
ｄ　上記オ（段落０１００〜０１０５参照）及び上記カより，引用例に記載のものは，操作者が発話釦２３を押下すると，手動操作部２が音声入力開始指示情報２３ａを操作状態判断部５に出力し，前記操作状態判断部５は，「目的地設定」，「ポータル情報取得」，「電話をかける」及び「音楽を聞く」の項目を有する初期操作メニュー１０ｂと，前記音声入力操作部３が使用可能となっていることを示すアイコン１０ｈを操作状態表示部１０に表示すると共に，音声ガイド出力部９に音声入力をサポートする音声情報を出力し，さらに前記音声入力開始指示情報２３ａを音声入力開始終了判断部６に出力し，該音声入力開始終了判断部６が前記音声入力操作部３を使用可能とする。
　ここで，
初期操作メニューから選択される「目的地設定」は，目的地を設定するという機能を実行する「アプリケーション」ということができる
「音声入力操作部に入力された音声情報に基づいてアプリケーションを起動する場合」
ｅ　上記オ（段落０１０６〜０１１６参照）より，引用例に記載のものは，操作者が，自分の意図した操作を実現するのに必要な選択肢を選択し，当該選択肢に対応する音声情報を音声入力操作部３にて入力するところ，音声入力操作部３にて『目的地設定』という音声情報を入力すると，該音声情報は，Ａ／Ｄ変換されて音声認識実行部４に出力され，マッチング処理の結果，「目的地設定」という単語がある旨の単語選択情報を操作状態判断部５に出力すると，前記操作状態判断部５は，当該単語選択情報に基づいて，「目的地設定」という単語について単語確定処理を行い，「目的地設定」という単語に対応し，「自宅」，「登録地から選ぶ」，「最近の目的地から選ぶ」及び「施設から選ぶ」の項目を有する機器別操作メニュー１０ｃを操作状態表示部１０に表示し，音声ガイド出力部９にて音声入力をサポートする音声を出力し，音声入力開始終了判断部６が，該操作状態判断部５から与えられた音声入力開始指示情報２３ａに基づいて，音声入力操作部３を使用可能とする。
　そして，前記「操作状態判断部５」は，『目的地設定』という音声入力に対応して，『「自宅」，「登録地から選ぶ」，「最近の目的地から選ぶ」及び「施設から選ぶ」の項目を有する機器別操作メニュー１０ｃを操作状態表示部１０に表示し，音声ガイド出力部９にて音声入力をサポートする音声を出力』するから，前記「音声認識実行部４」は，前記ｄも勘案すると，『目的地設定』という音声情報を入力することで「開始」された「目的地設定」の操作用の機能を実行する手段，すなわち，
「起動」した「アプリケーション」の操作用の機能を実行する手段
　さらに，「機器別操作メニュー１０ｃを操作状態表示部１０に表示し，音声ガイド出力部９にて音声入力をサポートする音声を出力し，音声入力開始終了判断部６が，該操作状態判断部５から与えられた音声入力開始指示情報２３ａに基づいて，音声入力操作部３を使用可能と」することで，「目的地設定」，すなわち
「アプリケーション」は「音声入力待ち」の状態となっている
　このとき，前記ｂも勘案すると，前記「操作状態判断部５」からの「音声入力開始指示情報２３ａ」に基づいて「音声入力操作部３」を使用可能として，前記「音声認識実行部４」による操作者の音声情報の認識が可能となる。そうすると，
前記「音声入力待ち」の状態で，前記「操作状態判断部５」は，「音声認識実行部４」による音声認識を可能とするもの，すなわち，前記「起動」した「アプリケーション」の操作用の機能を実行する手段を動作させて，操作者による音声情報の入力を可能とするものといえる。
　
　上記ａ〜ｅを総合すると，引用例には，次の発明（以下，「引用発明」という。）が記載されている。
「操作者の音声情報を入力する音声入力操作部と，
音声入力操作部に入力された音声情報に基づいてアプリケーションを起動する場合，
起動したアプリケーションの操作用の機能を実行する手段である音声認識実行部を，前記起動したアプリケーションを音声入力待ちの状態としつつ，動作させて，操作者による音声情報の入力を可能とする操作状態判断部を備える車載機器制御装置。」
　
（３）対比
　補正後の発明と引用発明とを対比する。
　
（ａ）引用発明の「車載機器制御装置１」は，Ａ／Ｄ変換した音声信号を処理する等，ディジタル信号処理を行う装置といえる（前記（２）ａ参照。）から，補正後の発明の「電子機器」に含まれる。
　
（ｂ）引用発明の「音声入力操作部」は，操作者の音声情報を入力するものであるから，補正後の発明の「マイク」に相当する。
　
（ｃ）引用発明の「音声情報」は，補正後の発明の「音声」に相当する。また，補正後の発明の「アプリケーションを起動する際に」の「際に」は，実施の形態の動作から「特定の時点」というよりは「場合」の意味であると認められるから，引用発明の「音声入力操作部に入力された音声情報に基づいてアプリケーションを起動する場合」は，補正後の発明の「マイクへ入力された音声に基づいてアプリケーションを起動する際に」に相当する。
　
（ｄ）引用発明の「起動したアプリケーションの操作用の機能を実行する手段である音声認識実行部」と，補正後の発明の「起動したアプリケーションの操作用のアプリケーション」は，下記相違点を除いて，「起動したアプリケーションの操作用の手段」である点で共通する。
　
（ｅ）引用発明の「起動したアプリケーションを音声入力待ちの状態」は，「音声入力待ち」のため，「アプリケーションを中断」した状態といえるから，補正後の発明の「起動したアプリケーションを中断」に相当する。
（ｆ）補正後の発明の「音声入力用のユーザインターフェース」について，本願明細書には，「ステップＳ１１２では，ルート検索アプリケーション４３は，音声入力用のユーザインタフェースである音声メニューを表示する。なお，ルート検索アプリケーション４３は，音声メニューとして，例えば，上述のように音声認識アプリケーション４２を起動させ，音声入力による操作を受け付けることとしてよい。」（段落【００５８】）と記載されている。そうすると，「音声入力用のユーザインターフェース」は「音声メニュー」のことであり，該「音声メニュー」は，「音声認識アプリケーション４２を起動させ，音声入力による操作を受け付けること」を含むものと解され，本願の請求項１の記載に合わせると，「起動したアプリケーションの操作用のアプリケーションを起動させ，音声入力による操作を受け付けること」を含むものと解される。
　そうすると，補正後の発明の「前記起動したアプリケーションの操作用のアプリケーションを，」「音声入力用のユーザインターフェースで提供する実行部」は，「前記起動したアプリケーションの操作用のアプリケーションを，」「起動させ，音声入力による操作を受け付ける実行部」を含むものと解される。
　そして，引用発明の「動作させて，操作者による音声情報の入力を可能とする操作状態判断部」について，「操作者による音声情報の入力を可能とする操作状態判断部」は，「音声情報」が操作者による操作のための入力であるから，「操作者による音声情報の入力を可能とする」ことは，「音声入力による操作を受け付ける」ことに相当し，この点で前記「操作状態判断部」は，補正後の発明の「実行部」に相当する。そうすると，引用発明の「動作させて，操作者による音声情報の入力を可能とする操作状態判断部」は，動作させる対象は別（下記相違点を参照。）として，補正後の発明の「音声入力用のユーザインターフェースで提供する実行部」に相当する。
　
　以上の事項を総合すると，補正後の発明と引用発明は，以下の一致点及び相違点を有する。
　
（一致点）
「マイクと，
　前記マイクへ入力された音声に基づいてアプリケーションを起動する際に，前記起動したアプリケーションの操作用の手段を，前記起動したアプリケーションを中断しつつ音声入力用のユーザインタフェースで提供する実行部と，を備える電子機器。」
　
（相違点）
　「操作用の手段」について，補正後の発明では，「操作用のアプリケーション」であるのに対し，引用発明では，「操作用の機能を実行する手段である音声認識実行部」である点。
　
（４）判断
　前記相違点について検討する。
　当該技術分野において，目的とする機能をアプリケーションを実行することで達成することは，周知慣用技術であり，引用発明においても，「音声認識実行部」で行う操作者の音声情報の認識を，アプリケーションを実行することで達成することは，当業者が容易に想到し得ることである。
　そうすると，補正後の発明は，周知慣用技術を勘案することで，当業者が引用発明に基づいて容易に発明をすることができたものである。
　
　また，審判請求人が審判請求の理由において主張する効果を含め，補正後の発明が奏する作用効果は，引用発明及び周知慣用技術から当業者が予測し得る範囲のものである。
　
（５）むすび
　したがって，補正後の発明は，引用発明及び周知慣用技術に基いて当業者が容易に発明をすることができたものであるから，特許法第２９条第２項の規定により独立して特許を受けることができない。
　
４　結語　
　以上のとおり，本件補正は，特許法第１７条の２第６項において準用する同法第１２６条第７項の規定に違反するので，同法第１５９条第１項の規定において読み替えて準用する同法第５３条第１項の規定により却下すべきものである。
　
第３　本願発明について
１　本願発明
　平成２６年９月１６日付けの手続補正は上記のとおり却下されたので，本願発明は，上記「第２　補正却下の決定」の項中の「１　補正の概要」の項で「本願発明」として認定したとおりである。
　
２　引用発明
　引用発明は，上記「第２　補正却下の決定」の項中の「３　独立特許要件について」の項中の「（２）引用発明」の項で認定したとおりである。
　
３　対比・判断
　そこで，本願発明と引用発明とを対比するに，上記「第２　補正却下の決定」の項中の「２　補正の目的について」の項で述べたとおり，上記本願発明は補正後の発明から，本件補正に係る限定が省かれたものである。
　そうすると，本願発明の構成に当該補正に係る前記限定を付加した補正後の発明が，上記「第２　補正却下の決定」の項中の「３　独立特許要件について」の項中の「（３）対比・判断」の項で検討したとおり，引用発明及び周知慣用技術に基づいて当業者が容易に発明できたものであるから，本願発明も同様の理由により，容易に発明できたものである。
　
４　むすび
　以上のとおり，本願発明は，引用発明及び周知慣用技術に基づいて当業者が容易に発明をすることができたものであるから，特許法第２９条第２項の規定により，特許を受けることができない。
　本願は，その余の請求項に論及するまでもなく拒絶すべきものである。
　
　よって，結論のとおり審決する。